(57)【要約】【課題】  設定温度が低目のときに、設定温度と実際の室温との差を少なくする暖房制御を可能とした暖房機を提供する。【解決手段】  室温検出手段で検知した温度が設定温度を超えた場合に熱源の駆動を停止し、室温調節する機能を有する暖房機において、制御部は、室温検知手段により検知した温度が設定温度を超えた場合に熱源の駆動を停止し、室温調節する機能を実際の室内温度と検知温度とがほぼ等しくなる所定の条件を満たしたときにのみ有効に機能させ、これにより、実際の室温が設定温度よりもかなり低い段階で停止するのを防止する。【選択図】    図５
2005351501.tif 000002
【特許請求の範囲】
【請求項１】
室内を加温するための熱源と、室内温度を設定する室温設定手段と、室内温度を検知する室温検知手段と、前記室温設定手段および室温検知手段の出力に応じて前記熱源を制御する制御部とを備え、
前記制御部は、室温検知手段により検知した温度が、設定温度よりも高くなったとき、もしくは設定温度にある温度幅を設け、その上限値よりも高くなったときに、前記熱源の駆動を停止し、室温検知手段により検知した温度が設定温度もしくは前記温度幅の下限値よりも低下したときに前記熱源を再駆動する熱源セーブモードを実行可能とし、前記熱源セーブモードを前記設定温度と実際の室温とがほぼ等しくなる所定の条件を満たしたときのみ実行することを特徴とする暖房機。
【請求項２】
前記所定の条件は、前記設定温度が所定の温度よりも高いときであることを特徴とする請求項１に記載の暖房機。
【請求項３】
前記所定の条件は、前記室温検知手段により検知した温度が所定の温度値よりも高いときであることを特徴とする請求項１に記載の暖房機。
【請求項４】
前記所定の条件は、運転開始から所定時間以上経過したときであることを特徴とする請求項１に記載の暖房機。
【請求項５】
前記所定の条件は、前記設定温度が所定の温度よりも高く、かつ運転開始から所定時間以上経過したときであることを特徴とする請求項１に記載の暖房機。
【請求項６】
前記所定の条件は、前記室温検知手段により検知した温度が所定の温度値よりも高く、かつ運転開始から所定時間以上経過したときであることを特徴とする請求項１に記載の暖房機。
【請求項７】
前記所定の条件は、前記設定温度が所定の温度よりも高く、前記室温検知手段により検知した温度が所定の温度値よりも高く、さらに、運転開始から所定時間以上経過したときであることを特徴とする請求項１に記載の暖房機。
【発明の詳細な説明】
【技術分野】
【０００１】
本発明は、石油ファンヒータ等の室内を加温するため熱源を備えた暖房機に関するものである。
【背景技術】
【０００２】
従来の石油ファンヒータなどの温風暖房機は、機器本体内に熱源となるバーナーを有し、バーナー上で燃料ガスを燃焼し、発生した熱を機器本体背面の送風機によって機器本体内に取り入れた空気と混合し、温風として機器本体の前面にある温風吹出し口から吹き出し、室内を暖房するようにしている。
【０００３】
そして、制御部では、機器本体の背面には、室内の温度を検知する室温検知手段（一般的にはサーミスター）が設けられており、また、機器本体の前面もしくは上面には室内の温度を設定する室温設定手段が設置され、使用者が設定した設定温度と前記室温検知手段により検知した値とに応じて熱源の出力を決定している。
【０００４】
また、特許文献１には、セーブ運転スイッチを押すと、所定の燃焼能力を一挙に上げて温度上昇を行い、室温が所定の設定温度まで立ち上げた後、設定温度を徐々に低下させセーブ運転温度で経済的な暖房運転を行うセーブ運転機能を備えた暖房機が開示されている。
【０００５】
また、特許文献２には、熱源に供給される温水温度がサーモスタットの設定温度になるように制御する空気調和機において、一定の監視時間内に室内温度が設定温度に達するか否かによってサーモスタットの設定温度を変更し、熱ロスを少なくして省エネルギーを図る空気調和機が開示されている。
【０００６】
さらに、暖房機の室温制御において、機器本体を使用する部屋の広さ、断熱状態、外気温度などによっては熱源の出力を最小にしても室温が設定温度以上になることがあり、これを防ぐために、室温検知手段により検知した温度が設定温度よりも高くなったときに熱源の駆動を停止し、室温検知手段により検知温度が設定温度よりも低下したときに熱源を再駆動する熱源セーブモード機能を備えた暖房機も提案されている。
【０００７】
図１３は熱源セーブモード機能を備えた暖房機の制御フローチャートである。図に示すように、運転を開始すると、制御部では、熱源セーブモードが設定されているかどうか判定し、設定されていない場合は運転を継続する。熱源セーブモードが設定されているときは、使用者の設定した設定温度が室温検知手段により検知した検知温度よりも高いか否かを判定し、検知温度が設定温度よりも低いときは運転を継続し、検知温度が設定温度よりも高いときは消火して室温の制御を行うようになっている。
【特許文献１】特開平５−１５７３６２号公報（段落１３〜１４参照）
【特許文献２】特開平２−９７８４１号公報（明細書２頁下欄参照）
【発明の開示】
【発明が解決しようとする課題】
【０００８】
しかしながら、特許文献１，２や図１３に示す従来の室温制御運転においては、熱源セーブモードが実行された場合に、実際の室温が設定温度よりも低い時点で熱源の駆動を停止する場合が発生する。
【０００９】
このような例を図１１および図１２に基づいて説明する。図１１および図１２は従来の熱源セーブモード機能を備えた暖房機において、室温検知手段の検知した室温（機器の室温表示）と実際の室温（他の温度計で測定）と運転開始からの時間との関係を示した温度上昇グラフである。図１１は設定温度を２２度に設定した場合を、また、図１２は設定温度を１８度に設定した場合を夫々示している。なお、暖房機の操作表示部に表示される室温表示は、室温検知手段で検知した温度をそのまま表示するか、あるいは所定時間の平均値を出力して表示するため、室温検知手段で検知した温度とほぼ一致している。
【００１０】
図１１および図１２に示すように、運転開始からまもなくは、機器の室温表示の上昇が、実際の室温よりも早く、数分経過後に最大となり、その後徐々に両者の差が小さくなり、約３０分程度経過すると、ほぼ一致するようになる。
【００１１】
これらの図からも明らかなように、室温検知手段の検知値が使用者の設定した設定温度になると消火して室温を制御するセーブモードを実行する場合、図１１に示すように設定温度を２２℃にしたときには、室温検知手段の検知値（室温表示）と実際の室温がほぼ同じであるため問題はないのであるが、図１２に示すように設定温度を１８℃にすると実際の室温は１４℃であり、その差が４℃もあるため、使用者から「暖まらない」という苦情を受けることがあった。
【００１２】
また、図１１および図１２からも明らかなように、室温検知手段で検知した温度が低いときや、運転開始後の短時間に前記熱源セーブモードが実行されると、室温検知手段の検知値（室温表示）と実際の室温とに差があることがわかる。
【００１３】
そこで、本発明は、熱源セーブモードであっても十分に暖房することができる快適性に優れた暖房機の提供を目的としている。
【課題を解決するための手段】
【００１４】
上記目的を達成するために、本発明は、室内を加温するため熱源と、室内温度を設定する室温設定手段と、室内温度を検知する室温検知手段と、前記室温設定手段および室温検知手段の出力に応じて前記熱源を制御する制御部とを備え、前記制御部は、室温検知手段により検知した温度が設定温度よりも高くなったとき、もしくは設定温度にある温度幅を設け、その上限値よりも高くなったときに前記熱源の駆動を停止し、室温検知手段により検知した温度が設定温度もしくは前記温度幅の下限値よりも低下したときに前記熱源を再駆動する熱源セーブモードを実行可能とし、前記熱源セーブモードを前記設定温度と実際の室温とがほぼ等しくなる所定の条件を満たしたときのみ実行することを特徴としている。
【００１５】
この場合の所定の条件としては、以下の条件ア）〜ウ）の一つ、または２以上を組合わせた条件が挙げられる。
ア）設定温度が所定の温度よりも高いとき
イ）室温検知手段により検知した温度が所定の温度値よりも高いとき
ウ）運転開始から所定時間以上経過したとき
【００１６】
前記所定の条件を満足するとき、すなわち、設定温度が所定の温度（例えば、２１℃）よりも高いとき、あるいは室温検知手段により検知した温度が所定の温度値（例えば２１℃）よりも高いとき、または運転開始から所定時間（例えば２５分）以上経過したときは、室温検知手段により検知した温度（室温表示）と実際の室温の差はほとんどなくなるので、熱源セーブモードで熱源の駆動を停止しても、使用者が「暖まらない」と感じることが少なくなる。
【発明の効果】
【００１７】
以上のように、本発明によれば、熱源セーブモードを設定温度と実際の室温とがほぼ等しくなる所定の条件を満たしたときのみ実行するようにしているので、室温表示と実際の室温の差が大きい状態で熱源の駆動が停止されるのを防止することができ、快適性に優れた暖房機を提供することができる。
【発明を実施するための最良の形態】
【００１８】
以下、本発明に係る暖房機の実施形態として液体燃焼装置を搭載した石油ファンヒータを用いて説明する。図１は液体燃料燃焼装置を搭載した石油ファンヒータの側断面図である。
【００１９】
図１において、石油ファンヒータ１は、機器本体２の内部に熱源となるバーナー３を有し、バーナー上で燃料ガスを燃焼し、発生した熱気を機器本体の背面に設置された送風ファン４により取り込んだ空気と混合して、温風として機器本体２の前面に開設された温風吹き出し口５のルーバー部６から吹き出し、室内を暖房するようにしている。
【００２０】
機器本体の背面には室内の温度を検知する室温検知手段７（一般的にはサーミスター）が設けられている。また、機器本体２の前面もしくは上面には室内温度を設定するための室温設定手段８が設置される。
【００２１】
バーナー３は、例えば、電磁ポンプなどの送油ポンプ（図示略）により石油などの液体燃料を供給し、これを気化器（図示略）で気化してバーナー３に噴出し、バーナー３上で点火して燃焼炎とする。この場合、バーナー３の駆動制御は、送油ポンプの駆動制御と気化器のノズルの開閉制御により行われる。
【００２２】
図２は図１の暖房機の制御ブロック図である。図に示すように、制御部１０は、内部にＲＯＭ、ＲＡＭ、ＣＰＵを備えたマイクロコンピュータから構成され、その入力側に、運転スイッチ、セーブモード選択スイッチなどの各種スイッチ１１、室温検知手段７、および室温設定手段８が接続される。また、制御部１０の出力側には、バーナー３を駆動する駆動部１２および送風ファン４の駆動部１３が接続される。さらに、制御部１０にはタイマー１４が接続される。
【００２３】
そして、制御部１０では、室温検知手段７により検知した温度が、設定温度よりも高くなったとき、もしくは設定温度にある温度幅を設け、その上限値よりも高くなったときに、バーナー３の駆動を停止し、室温検知手段７により検知した温度が設定温度もしくは前記温度幅の下限値よりも低下したときにバーナ−３を再駆動する熱源セーブモードを実行可能とされ、前記熱源セーブモードを前記設定温度と実際の室温とがほぼ等しくなる所定の条件を満たしたときのみ実行するようにしている。
【００２４】
図３は図１の暖房機において設定温度が適切な場合の温度上昇グラフ、図４は同じく設定温度がやや低い場合の温度上昇グラフである。図５は、本実施形態における暖房機の室温制御フローチャートを示す。これらの図に基づいて、室温制御動作を説明する。
【００２５】
図５に示すように、運転が開始されると、制御部１０では、熱源セーブモードが設定されているか否かを判断する。熱源セーブモードの設定は、機器本体の前面若しくは上面に配置された操作表示部のセーブモードスイッチ（図示略）が押されたとき、制御部１０では、その信号を受けて熱源セーブモードが設定されたことを認識する。
【００２６】
制御部１０は、熱源セーブモードが設定されている場合、所定の条件をクリアしているか否かを判断する。この場合の所定の条件とは、後述するように、具体的には図６〜図１０の制御フローチャートで示す条件である。
【００２７】
これらの具体的な条件は、以下の条件ア）〜ウ）の１または２以上の組合わせである。
ア）設定温度が所定の温度よりも高いとき
イ）室温検知手段により検知した温度が所定の温度値よりも高いとき
ウ）運転開始から所定時間以上経過したとき
【００２８】
このような所定の条件がクリアされていることが熱源セーブモードの実行への条件となる。所定の条件がクリアされている場合にはじめて熱源セーブモードを実行することになる。室温設定手段８で設定された設定温度と室温検知手段７で検知した検知温度とを比較し、検知温度が設定温度よりも高くなったときに消火し、室温検知手段７により検知した温度が設定温度よりも低下したときに熱源を再駆動する。
【００２９】
所定の条件がクリアされていない場合は、熱源セーブモードを実行することなく、運転スイッチがＯＦＦされるまで、通常運転モードを実行し、運転スイッチが押されれば消火して終了する。
【００３０】
なお、通常運転モードとは、室温設定手段８で設定された設定温度と室温検知手段７で検知した検知温度とを比較し、設定温度と検知温度とに応じて熱源の出力を決定するが、検知温度が設定温度よりも高くなったときでも最小出力で熱源を運転するモードをいう。
【００３１】
図６は所定の条件として具体的に「設定温度が所定の温度よりも高いとき」を設定した場合の室温制御フローチャートである。図に示すように、制御部１０では、運転開始後に熱源セーブモードが設定されているか否かを判断し、熱源セーブモードが設定されていない場合は、通常運転モードを実行するため、そのまま運転を継続し、運転スイッチＯＦＦが押されれば消火して、このフローを終了する。
【００３２】
熱源セーブモードが設定されている場合には、設定温度が所定の温度よりも高く設定されているか否かを判断し、所定の温度よりも低い場合は熱源セーブモードを実行することなく、通常運転モードで運転を継続する。
【００３３】
設定温度が所定の温度よりも高い場合には熱源セーブモードに突入して検知温度が設定温度よりも高くなったときにバーナー駆動部を停止して消火する。
【００３４】
例えば、図３に示すように、設定温度が２２℃で所定の温度条件を例えば２１℃とすると、設定温度は所定の温度よりも高いので、熱源セーブモードに入り、検知温度が設定温度（２２℃）よりも高くなったときに熱源の駆動を停止する。この駆動停止時には、図３に示すように、実際の室温が約２１．５℃まで上昇しており、設定温度２２℃とほぼ同じであるため、「暖まらない」と言うような苦情に結び付くことはない。
【００３５】
一方、図４に示すように、設定温度が１８℃に設定されている場合、所定の温度を例えば２１℃とすると、設定温度が所定の温度よりも低いので、制御部１０では、熱源セーブモードを無効として通常運転モードで運転を継続する。このため、「暖まらない」と言うような苦情に結び付くことはない。
【００３６】
図７は所定の条件として具体的に「室温検知手段により検知した検知温度が所定の温度よりも高いとき」を設定した場合の室温制御フローチャートである。図に示すように、室温検知手段７の検知した温度（室温表示）が所定の温度（例えば２１℃）よりも高い場合にのみ熱源セーブモードを有効とする。これにより、実際の室温の上昇が不充分な時に、消火することがなく、前述したような苦情が発生することはない。その他の制御は、上記と同様であるので、その詳細は省略する。
【００３７】
図８は所定の条件として、具体的に「運転開始から所定時間以上経過したとき」を設定した場合の室温制御フローチャートである。図に示すように、運転開始から所定時間以上経過した場合にのみ熱源セーブモードを有効とする。
【００３８】
この場合、図４に示すように、たとえ設定温度が低い場合でも、約２５分以上経過すれば、室温検知手段で検知した検知温度（室温表示）と実際の室温の差はほとんどなくなる。したがって、運転開始から２５分以上経過した場合のみ熱源セーブモードを有効にすれば、実際の室温の上昇が不充分なときでも消火することはなく、前述したような苦情が発生することはない。その他の制御は図５および図６の場合と同様であるので、詳細は省略する。
【００３９】
図９は所定の条件として具体的に「運転開始から所定時間以上経過し、かつ設定温度が所定の温度よりも高いとき」を設定した場合の室温制御フローチャートである。図に示すように、運転開始から所定時間以上経過し、かつ使用者の設定した温度が所定の温度（例えば２１℃）よりも高い場合にのみ熱源セーブモードを有効とする。これにより、使用する部屋が広い場合や外気温が低く室温上昇に相当な時間を要するときにも、実際の室温が設定温度とかけ離れた状態で消火することがない。
【００４０】
図１０は所定の条件として具体的に「運転開始から所定時間以上経過し、かつ室温検知手段により検知した温度が所定の温度値よりも高いとき」を設定した場合の室温制御フローチャートである。図に示すように、運転開始から所定時間以上経過し、かつ室温検知手段の検知した温度（室温表示）が所定の温度（例えば２１℃）よりも高い場合にのみ熱源セーブモードを有効とする。これにより、暖房機を使用する部屋が広い場合や外気温が低く室温上昇に相当な時間を要するときにも、実際の室温が設定温度とかけ離れた状態で消火することはない。
【００４１】
なお、本発明は、上記実施形態に限定されるものではなく、本発明の範囲内で多くの修正・変更を加えることができるのは勿論である。例えば、上記実施形態では、熱源セーブモードとして、室温検知手段により検知した温度が設定温度よりも高くなったときに熱源の駆動を停止し、検知温度が設定温度よりも低下したときに熱源を再駆動する制御を説明したが、これに限らず、設定温度にある温度幅を設け、検知温度が温度幅の上限値よりも高くなったときに熱源の駆動を停止し、検知温度が温度幅の下限値よりも低下したときに熱源を再駆動するようにしてもよい。また、その温度幅は、設定温度を挟んでその両側に設定するか、あるいは温度幅の下限値を設定温度に設定してもよい。
【００４２】
さらに、本発明は、熱源の駆動制御に関するものであるため、上記実施形態のように送風ファンを備えた温風暖房機に限定されるものではなく、例えば輻射型ストーブであってもよい。また、ヒートポンプ式の空気調和機においても本発明を適用することができる。
【図面の簡単な説明】
【００４３】
【図１】本発明に係る暖房機の実施形態である石油ファンヒータの要部断面側面図
【図２】図１の暖房機の制御ブロック図
【図３】図１の暖房機において設定温度が適切な場合の温度上昇グラフ
【図４】図１の暖房機において設定温度がやや低い場合の温度上昇グラフ
【図５】図１の暖房機の室温制御フローチャート
【図６】図１の暖房機における第１の具体例を示す室温制御フローチャート
【図７】本発明の第２の具体例を示す室温制御フローチャート
【図８】本発明の第３の具体例を示す室温制御フローチャート
【図９】本発明の第４の具体例を示す室温制御フローチャート
【図１０】本発明の第５の具体例を示す室温制御フローチャート
【図１１】従来の暖房機における設定温度が適切な場合の温度上昇グラフ
【図１２】従来の暖房機における設定温度がやや低い場合の温度上昇グラフ
【図１３】従来の暖房機の室温制御フローチャート
【符号の説明】
【００４４】
１    石油ファンヒータ
２    機器本体
３    バーナー（熱源）
４    送風ファン
５    温風吹出し口
６    ルーバー部
７    室温検知手段
８    室温設定手段
１０    制御部
１１    各種スイッチ
１２    バーナー駆動部
１３    送風ファン駆動部
１４    タイマー
【図１】
2005351501.tif 000003
【図２】
2005351501.tif 000004
【図３】
2005351501.tif 000005
【図４】
2005351501.tif 000006
【図５】
2005351501.tif 000007
【図６】
2005351501.tif 000008
【図７】
2005351501.tif 000009
【図８】
2005351501.tif 000010
【図９】
2005351501.tif 000011
【図１０】
2005351501.tif 000012
【図１１】
2005351501.tif 000013
【図１２】
2005351501.tif 000014
【図１３】
2005351501.tif 000015